(57)【特許請求の範囲】
【請求項１】
歯科用磁性アタッチメントのキーパ(Ｋ)を支台歯(Ｔ)上に固定する根面板(Ｐ)をロストワックス法により鋳造する際に根面板(Ｐ)にキーパ(Ｋ)を収容する空間を形成するために用いられる歯科用磁性アタッチメントのキーパ用スペーサであって、
キーパ(Ｋ)の口腔内側以外の部位と略同一の形状を成しワックス(Ｗ)に埋入される埋入部位(１)と、該埋入部位(１)と一体を成し該埋入部位(１)との境界(2a)が目視により認識できるワックス(Ｗ)から突出する突出部位(２)とから成り、鋳造の際に用いられる耐火埋没材(Ｍ)と略同じ熱膨張率を有する耐火埋没材により構成されていることを特徴とする歯科用磁性アタッチメントのキーパ用スペーサ。
【請求項２】
鋳造の際に用いられる耐火埋没材(Ｍ)と略同じ熱膨張率を有する耐火埋没材が、鋳造の際に用いられる耐火埋没材(Ｍ)と同一の材料より構成されている請求項１に記載の歯科用磁性アタッチメントのキーパ用スペーサ。
【請求項３】
埋入部位(１)と突出部位(２)との境界(2a)に、両該部位(１，２)とは異なる色彩を有する境界線が表示されている請求項１又は２に記載の歯科用磁性アタッチメントのキーパ用スペーサ。
【請求項４】
埋入部位(１)と突出部位(２)との境界(2a)に、その外周面に亘って凹状の溝が形成されている請求項１から３までの何れか１項に記載の歯科用磁性アタッチメントのキーパ用スペーサ。
【請求項５】
突出部位(２)が、埋入部位(１)と該突出部位(２)との境界(2a)から該埋入部位(１)の反対側に亘ってその横断面の面積が該埋入部位(１)の境界(2a)側の横断面の面積よりも狭く形成されている括れ部(2b)と該括れ部(2b)と連続し該括れ部(2b)よりその横断面の面積が広い頭部(2c)とから成る請求項１又は２に記載の歯科用磁性アタッチメントのキーパ用スペーサ。
【請求項６】
突出部位(２)が、埋入部位(１)の反対側へ亘って先細り状を成す請求項１から４までの何れか１項に記載の歯科用磁性アタッチメントのキーパ用スペーサ。
【発明の詳細な説明】
【技術分野】
【０００１】
本発明は、歯科用磁性アタッチメントのキーパを支台歯上に固定する根面板をロストワックス法により鋳造する際に根面板にキーパを収容する空間を形成するために用いられる歯科用磁性アタッチメントのキーパ用スペーサに関するものである。
【背景技術】
【０００２】
一般に、歯科用磁性アタッチメントは、義歯床の顎堤側に固定される永久磁石構造体と、軟磁性体から成り口腔内の顎堤部の支台歯に固定されるキーパとから構成されており、その永久磁石構造体とキーパとの間に作用する磁気吸引力を利用して義歯を固定するものであり、このような歯科用磁性アタッチメントを用いて口腔内に部分床や全部床の義歯を固定することにより、義歯の機能や審美性を何等損なうことがなく、義歯の口腔内への着脱が容易であること等からその適用例は急速に増加してきている。
【０００３】
このような歯科用磁性アタッチメントを構成する一要素であるキーパは、義歯床の顎堤側に固定される永久磁石構造体に対向するように、通常は口腔内の顎堤部の残存歯に根管形成部を形成してなる支台歯上に固定されるものであり、そしてキーパを支台歯上に固定する方法としては、一般的にはロストワックス法により鋳造された根面板を用いて支台歯上に固定する方法が多用されている。
【０００４】
この歯科用磁性アタッチメントのキーパを支台歯上に固定するための根面板をロストワックス法により鋳造する方法としては、予め作製された支台歯の石膏模型に、例えば磁性体に吸着される吸着面を主表面とする板状のキーパ本体とこのキーパ本体の側面に一端が一体的に固定された維持棒とよりなるキーパであって、維持棒はキーパ本体の厚さよりも小さい厚さの断面をもち、かつ、維持棒はキーパ本体の前記主表面より離れた側面に固定されているキーパ（例えば、特許文献１参照。）の如き維持棒等を有するキーパをその石膏模型側と反対の面が露出するようにワックスに埋入した状態で、根面板の形状をワックスアップして根面板の蝋型を形成した後に、この根面板の蝋型に埋入したキーパごと耐火埋没材により埋没させて鋳型を作製し、しかる後に根面板の蝋型を焼却して溶湯を流し込むことにより鋳造することによって、キーパが鋳接された状態の根面板を得る方法が従来より存在する。
【０００５】
しかしながら、このようなキーパが鋳接された状態の根面板では、根面板とキーパとが一体化されるので根面板にキーパを強固に固定することができるものの、根面板を鋳造する際には通常は１０００度程度の高温にキーパが曝されることにより、キーパの露出する面に酸化皮膜が形成されてしまうため、このキーパの露出する面の酸化皮膜を酸浴や水やすり等により除去する必要があるので、余計な作業が増えて面倒であるという欠点があるばかりでなく、キーパはその製造時に表面を鏡面処理されるのであるが、このような研磨等の作業によってキーパの製品出荷時における鏡面が損なわれてしまうという欠点もあり、しかもキーパの鏡面処理の精度が低下してしまうと、永久磁石構造体との密着性が悪化して歯科用磁性アタッチメントの維持力が低下してしまうという欠点があり、更には仮にキーパの露出する面の酸化皮膜をその鏡面処理の精度が極力低下しないように研磨したとしても、根面板を鋳造する際にキーパの周囲の根面板を構成する溶湯の凝固時に付勢される圧力によりキーパ自体が撓むように変形してしまうので、結局永久磁石構造体との密着性が悪化してしまうという欠点があった。
【０００６】
また、キーパ自体は、通常は磁性ステンレス鋼等の軟磁性の金属から成るものであるから、核磁気共鳴画像法（ＭＲＩ）の診断時において撮影される画像に悪影響を及ぼすことがあるため、核磁気共鳴画像法により診断をする際には、口腔内からキーパを撤去することを要求される場合があり、そして前記の如くキーパが鋳接された状態の根面板ではキーパが強固に固定されていると共にキーパの維持棒も根面板内に挿入された状態で鋳接されるから、エアタービン等の器具を用いて根面板からキーパを取り外さねばならずその負担が非常に大きいという欠点があるばかりでなく、取り外す際にキーパのみならず根面板自体も損傷してしまうことがあるので、根面板を再利用することが難しいという欠点があった。
【０００７】
そこで、前記の如く根面板にキーパを鋳接することなく根面板をロストワックス法により鋳造する方法としては、例えば熱可塑性合成樹脂からなり、歯科用磁性アタッチメントのキーパを収容する窩洞部を備えた根面板の鋳造に際し、根面板蝋型に埋設して使用される所定厚さのキーパ対応ハウジングパターンであって、歯科用磁性アタッチメントのキーパの外形寸法を超える内面寸法を有するキーパ対応ハウジングパターン（例えば、特許文献２参照。）等の如きカップ状を成すキーパ用スペーサをその開口部が石膏模型側と反対に位置するようにワックスに埋入した状態となるように予め作製された支台歯の石膏模型に根面板の形状をワックスアップして根面板の蝋型を形成した後に、このキーパ用スペーサが埋入された蝋型を耐火埋没材により埋没させロストワックス法により鋳型を作製し、この鋳型内に溶湯を流し込むことにより鋳造することによって、キーパを収容する空間が形成された根面板を得る方法が開発された。
【０００８】
即ち、このようなキーパ用スペーサを用いて根面板をロストワックス法により鋳造する方法では、キーパ用スペーサが埋入された根面板の蝋型を耐火埋没材中に埋没させると、耐火埋没材がキーパ用スペーサの開口部内に入り込むことによりキーパを収容するための空間が根面板の鋳型に形成されるのであり、これは根面板の蝋型に埋入されているキーパ用スペーサ自体も根面板の蝋型と同様に簡単に焼却が可能な材質より成るものであるから、この根面板の鋳型に溶湯を流し込むことによりキーパを収容する空間が形成された根面板を鋳造することができるのである。そして鋳造後において根面板に形成された空間に歯科用セメント等を充填してキーパを挿入すれば簡単に根面板にキーパを固定することができるのである。
【０００９】
このようなキーパ用スペーサを用いる方法では、キーパを鋳接するのではなく鋳造後の根面板にキーパを挿入固定する方法であるから、熱によりキーパの露出する面が酸化してしまったり根面板を構成する溶湯の凝固時の圧力によりキーパ自体が撓むように変形してしまったりすることがなく、また核磁気共鳴画像法により診断をする際に根面板に損傷を与えることが少なく簡単にキーパを取り外すことができるものの、このようなキーパ用スペーサは、その内部にキーパ自体をすっぽり収容できる大きさと成っているため、その外形はキーパよりも一回り（概ね、それぞれの壁の厚さは０．１〜０．４ｍｍ程度）大きいものとなってしまうから、このようなキーパ用スペーサをワックスに埋入して根面板の蝋型を作製する際において、支台歯の歯面上からキーパの永久磁石構造体側の面までの高さを可及的に低くしようとしても、その高さをキーパの高さとキーパ用スペーサの壁の厚みとを合わせたものよりも低くすることができないという欠点があった。
【００１０】
即ち、前記の如きキーパ用スペーサを用いることによって支台歯の歯面上からキーパの永久磁石構造体側の面までの高さが高いものとなってしまうことが多く、このように支台歯の歯面上からキーパの永久磁石構造体側の面までの高さが高いと、咀嚼する際に支台歯に側方からの圧力が掛かり易くなるため支台歯へ悪影響を及ぼしてしまうという欠点があるばかりでなく、キーパと対向する永久磁石構造体が固定される義歯床を薄くせざるを得ないので義歯床に永久磁石構造体を確実に固定するための厚みを確保できないという欠点があると共に、磁気吸引力が低い一回り小さい永久磁石構造体を採用せざるを得なくなってしまう場合があるという欠点もあった。
【００１１】
これは、前記の如くキーパ用スペーサの壁の厚さが０．１〜０．４ｍｍ程度のものではあるが、そもそも根面板に固定されるキーパ自体が、例えば円柱状を成す場合にはその高さが概ね０．５〜１．０ｍｍで且つその直径が３．０〜５．０ｍｍと非常に薄く小さなものであるため、このキーパ用スペーサの壁の厚さが最終的に鋳造される根面板に与える影響が非常に大きく、そしてこのキーパ用スペーサの壁の厚さが最終的に作製される補綴物の装着感を左右させるからである。
【００１２】
また、このようなキーパ用スペーサを用いる方法では、前記の如くキーパ用スペーサは、その外形がキーパよりも一回り大きいものとなってしまうから、このようなキーパ用スペーサをワックスに埋入して根面板の蝋型を作製する際には、少なくとも永久磁石構造体側の面積がキーパの永久磁石構造体側の面の面積とキーパ用のスペーサの壁の開口部側の面積とを合わせた面積を有し、且つその高さがキーパの高さとキーパ用のスペーサの壁の厚みとを合わせた高さを有する空間を包み込むような根面板の蝋型を作製する必要があるので、永久磁石構造体と接する面積がなるべく大きいキーパを採用しようとしても、キーパ用スペーサの壁の厚みの分だけ小さいものしか採用することができないという欠点があり、更にはキーパ用スペーサが埋入された蝋型を焼却する際に、通常はワックスよりもキーパ用スペーサの方が燃えにくい材質で形成されているため、このようなキーパ用スペーサを用いるとその焼却時間が長くなってしまうという欠点があるばかりでなく、その焼却時間が適切でない場合には、キーパ用スペーサが不完全に焼却された状態で残ってしまうために鋳造される根面板に悪影響を及ぼす危険性があるという欠点もあった。
【００１３】
【特許文献１】特開平８−２０６１３４号公報
【特許文献２】特開平１１−１３７５７５号公報
【発明の開示】
【発明が解決しようとする課題】
【００１４】
本発明は、前記従来技術の欠点を解消し、歯科用磁性アタッチメントのキーパを支台歯上に固定する根面板をロストワックス法により鋳造する際に根面板にキーパを収容する空間を形成するために用いられる歯科用磁性アタッチメントのキーパ用スペーサであって、支台歯の歯面上からキーパの永久磁石構造体側の面までの高さは可及的に低く且つその永久磁石構造体と接する面積がなるべく大きいキーパを採用することが可能な根面板を容易且つ安価に鋳造することができる歯科用磁性アタッチメントのキーパ用スペーサを提供することを課題とする。
【課題を解決するための手段】
【００１５】
本発明者らは前記課題を解決すべく鋭意研究した結果、予め作製された支台歯の石膏模型に根面板の形状をワックスアップして根面板の蝋型を形成する際に、根面板の蝋型にキーパを収容するための空間を確保するために用いるキーパ用スペーサとして、ワックスに埋入される部位がキーパの口腔内側以外の部位と略同一の形状を成すものにすると共に、予め作製された支台歯の石膏模型にワックスアップされた根面板の蝋型を耐火埋没材に埋没して作製された鋳型を作製する際において、このワックスに埋入される部位の位置がズレたり鋳型より離脱してしまったりすることなく耐火埋没材と一体化させることができ、且つ根面板の蝋型を焼却する際や溶湯を流し込む際において、鋳型等が熱膨張率差により変形や破壊されたりすることがなく、更にワックスアップ時においてそのワックスに埋入される部位が目視で簡単に認識可能となるように構成すれば、支台歯の歯面上からキーパの永久磁石構造体側の面までの高さは可及的に低く且つその永久磁石構造体と接する面積がなるべく大きいキーパを採用することが可能な根面板を簡便に鋳造することができることを究明して本発明を完成したのである。
【００１６】
即ち本発明は、歯科用磁性アタッチメントのキーパを支台歯上に固定する根面板をロストワックス法により鋳造する際に根面板にキーパを収容する空間を形成するために用いられる歯科用磁性アタッチメントのキーパ用スペーサであって、
キーパの口腔内側以外の部位と略同一の形状を成しワックスに埋入される埋入部位と、該埋入部位と一体を成し該埋入部位との境界が目視により認識できるワックスから突出する突出部位とから成り、鋳造の際に用いられる耐火埋没材と略同じ熱膨張率を有する耐火埋没材により構成されていることを特徴とする歯科用磁性アタッチメントのキーパ用スペーサである。
【００１７】
そして、このような本発明に係る歯科用磁性アタッチメントのキーパ用スペーサにおいて、鋳造の際に用いられる耐火埋没材と略同じ熱膨張率を有する耐火埋没材が鋳造の際に用いられる耐火埋没材と同一の材料より構成されていれば、鋳型を作製する際に鋳造の際に用いられる耐火埋没材と略同じ熱膨張率を有する耐火埋没材が鋳造の際に用いられる耐火埋没材と一体化し易いので好ましく、また埋入部位と突出部位との境界に、両部位とは異なる色彩を有する境界線が表示されていたり、埋入部位と突出部位との境界に、その外周面に亘って凹状の溝が形成されていたりすれば、根面板の蝋型をワックスアップする際に埋入部位と突出部位との境界を容易に認識することができて好ましいことも究明したのである。
【００１８】
また、突出部位が、埋入部位と突出部位との境界から埋入部位の反対側に亘ってその横断面の面積が埋入部位の境界側の横断面の面積よりも狭く形成されている括れ部とこの括れ部と連続し括れ部よりその横断面の面積が広い頭部とから成るものであったり、突出部位が、埋入部位の反対側へ亘って先細り状を成すものであったりすれば、予め作製された支台歯の石膏模型にワックスアップされた根面板の蝋型を耐火埋没材により埋没して鋳型を作製する際において、本発明に係る歯科用磁性アタッチメントのキーパ用スペーサと耐火埋没材とを確実に一体化させることができて好ましいことも究明したのである。
【発明の効果】
【００１９】
本発明に係る歯科用磁性アタッチメントのキーパ用スペーサは、ワックスに埋入される埋入部位がキーパの口腔内側以外の部位と略同一の形状を成しているものであるから、従来のキーパ用スペーサの如くその内部にキーパ自体をすっぽり収容できるキーパよりも一回り大きな壁が存在しない構成となっているので、その埋入部位をワックスに埋入して根面板の蝋型を作製する際において、支台歯の歯面上からキーパの永久磁石構造体側の面までの高さを可及的に低くすることができるばかりでなく、キーパと対向する永久磁石構造体が固定される義歯床をも厚くすることができるので、磁着吸引力の高い一回り大きい永久磁石構造体を採用することにより、その固定力がより安定した歯科用補綴物を作製することができる。
【００２０】
そして、本発明に係る歯科用磁性アタッチメントのキーパ用スペーサは、前記の如くワックスに埋入される埋入部位がキーパの口腔内側以外の部位と略同一の形状を成しているものであるから、従来のキーパ用スペーサの如くキーパ用スペーサをワックスに埋入して根面板の蝋型を作製する際における余分な壁の厚みの影響を受けずに、無駄のない形状の根面板を作製することができる。
【００２１】
また、本発明に係る歯科用磁性アタッチメントのキーパ用スペーサは、埋入部位と一体を成しワックスから突出する突出部位を有しているから、予め作製された支台歯の石膏模型にワックスアップされた根面板の蝋型を耐火埋没材により埋没して作製された鋳型を作製する際において、このワックスに埋入される部位の位置がズレたり鋳型より離脱してしまったりすることなく耐火埋没材と一体化させることができるばかりでなく、更に鋳造の際に用いられる耐火埋没材と略同じ熱膨張率を有する耐火埋没材により構成されているから、根面板の蝋型を焼却する際や溶湯を流し込む際において、鋳型を構成する耐火埋没材と本発明に係る歯科用磁性アタッチメントのキーパ用スペーサとの熱膨張率差により、鋳型のキーパ用スペーサと接する部位やキーパ用スペーサ自体が変形や破壊されたりすることなく鋳造の際に用いられる耐火埋没材と一体化させることができ、且つ作製される根面板におけるキーパを収容する空間を正確に形成することができ、更には従来のキーパ用スペーサの如く鋳型を作製する際において根面板の蝋型と共に焼却する必要がないから、ワックスの焼却時間が長くなってしまったりキーパ用スペーサが不完全に焼却された状態で残ってしまったりすることが一切なく、また更には埋入部位と突出部位との境界が目視により認識できるから、ワックスアップ時における作業性を容易にすることができる。
【００２２】
そして、本発明に係る歯科用磁性アタッチメントのキーパ用スペーサにおいて、鋳造の際に用いられる耐火埋没材と略同じ熱膨張率を有する耐火埋没材が、鋳造の際に用いられる耐火埋没材と同一の材料より構成されていれば、鋳型を作製する際に耐火性材料が耐火埋没材と一体化し易いので好ましいばかりでなく、その製造コストを安価に押えることができて好ましく、また埋入部位と突出部位との境界に、両部位とは異なる色彩を有する境界線が表示されていたり、その外周面に亘って凹状の溝が形成されていたりすれば、埋入部位と突出部位との境界を容易に認識することができて好ましいばかりでなく、特にその外周面に亘って凹状の溝が形成されている場合には、ヘラ等の器具を用いてワックスアップを行う際に器具の先端を凹状の溝に沿って操作することができるので好ましい。
【００２３】
また、突出部位が、埋入部位と突出部位との境界から埋入部位の反対側に亘ってその横断面の面積が埋入部位の境界側の横断面の面積よりも狭く形成されている括れ部とこの括れ部と連続し括れ部よりその横断面の面積が広い頭部とから成るものであったり、埋入部位の反対側へ亘って先細り状を成すものであったりすれば、予め作製された支台歯の石膏模型にワックスアップされた根面板の蝋型を耐火埋没材により埋没して鋳型を作製する際において、本発明に係る歯科用磁性アタッチメントのキーパ用スペーサと耐火埋没材とを確実に一体化させることができて好ましいばかりでなく、特に突出部位が括れ部と頭部とから成る態様の場合には、括れ部により埋入部位と突出部位との境界が目視により認識できて好ましい。
【発明を実施するための最良の形態】
【００２４】
以下、図面により歯科用磁性アタッチメントのキーパ用スペーサについて詳細に説明する。
図１は本発明に係る歯科用磁性アタッチメントのキーパ用スペーサの１実施例を示す斜視説明図、図２は本発明に係る歯科用磁性アタッチメントのキーパ用スペーサの他の実施例を示す斜視説明図、図３は本発明に係る歯科用磁性アタッチメントのキーパ用スペーサの更に他の実施例を示す斜視説明図、図４は本発明に係る歯科用磁性アタッチメントのキーパ用スペーサの更に他の実施例を示す斜視説明図、図５は図２に示す本発明に係る歯科用磁性アタッチメントのキーパ用スペーサを用いて根面板の蝋型をワックスアップした状態を示す縦断面説明図、図６は図５に示す根面板の蝋型を耐火埋没材で埋没した後にロストワックス法により本発明に係る歯科用磁性アタッチメントのキーパ用スペーサと耐火埋没材とが一体化した鋳型を作製した状態を示す縦断面説明図、図７は図６に示す本発明に係る歯科用磁性アタッチメントのキーパ用スペーサと耐火埋没材とが一体化した鋳型により鋳造されそのキーパを収容する空間にキーパが固定された根面板を支台歯に固定した状態を示す縦断面説明図である。
【００２５】
図面中、１はキーパＫの口腔内側以外の部位と略同一の形状を成しワックスＷに埋入される埋入部位であり、図５に示す如く予め作製された支台歯Ｔの石膏模型Ｓに根面板Ｐの形状をワックスアップして根面板Ｐの蝋型を形成する際にワックスＷに埋入されることによって、根面板Ｐの蝋型にキーパＫを収容する空間を形成する役目を果たす。
【００２６】
この埋入部位１は、キーパＫの口腔内側以外の部位と略同一の形状を成しているものであるから、従来のキーパ用スペーサの如くその内部にキーパＫ自体をすっぽり収容できるキーパＫよりも一回り大きな構成となっていないので、図５に示す如く埋入部位１をワックスＷに埋入して根面板Ｐの蝋型を作製する際において、支台歯Ｔの歯面上からキーパＫの永久磁石構造体側の面までの高さを可及的に低くすることができるばかりでなく、永久磁石構造体と接する面積が大きいキーパＫを採用することができる。
【００２７】
この埋入部位１としては、少なくともキーパＫの口腔内側以外の部位と略同一の形状を成しているものであれば何でもよく、例えばキーパＫの横断面の形状が円形状である場合には、図２〜図４に示す如くその横断面が円形状と成るように形成すればよく、またキーパＫの横断面の形状が楕円に近似した如き形状である場合には、図１に示す如くその横断面が楕円に近似した如き形状と成るように形成すればよく、そしてその高さとしては、キーパＫの高さと略同一であればよいが、根面板Ｐの空間に固定された際にキーパＫの側周面の上部が少し露出するようにキーパＫの高さよりも少し低いものであってもよい。
【００２８】
２は埋入部位１と一体を成し埋入部位１との境界2aが目視により認識できるワックスＷから突出する突出部位であり、図６に示す如く予め作製された支台歯Ｔの石膏模型Ｓにワックスアップされた根面板Ｐの蝋型を耐火埋没材Ｍにより埋没して鋳型を作製する際において、埋没された耐火埋没材Ｍが固化することにより耐火埋没材Ｍと共に一体化することによって、根面板Ｐの蝋型を焼却する際や溶湯を流し込む際に、埋入部位１の位置がズレたり本発明に係る歯科用磁性アタッチメントのキーパ用スペーサ自体が根面板Ｐを成す空間に向かって離脱したりするのを防止する役目を果たす。
【００２９】
この突出部位２は、予め作製された支台歯Ｔの石膏模型Ｓに根面板Ｐの蝋型をワックスアップした際に図５に示す如くワックスＷより突出した状態となっており、このように突出部位２が根面板Ｐの蝋型のワックスＷより突出した状態で、根面板Ｐの蝋型を耐火埋没材Ｍにより埋没すると、この突出部位２の周囲を包み込むように耐火埋没材Ｍが埋没されるから、このような状態で耐火埋没材Ｍが固化すると、突出部位２が耐火埋没材Ｍと一体化すると共にこの突出部位２と一体を成す埋入部位１が根面板Ｐの蝋型のキーパＫを収容する空間に埋入した状態となる。
【００３０】
そして、前記の如き状態でロストワックス法によりワックスＷを焼却すると、図６に示す如く根面板ＰのキーパＫを収容する空間に埋入部位１が存在した状態でこの突出部位２と耐火埋没材Ｍとが一体化した鋳型が作製されるので、この鋳型に溶湯を流し込むことによりキーパＫを収容する空間が形成された根面板Ｐを鋳造することができる。
【００３１】
この突出部位２としては、少なくとも埋入部位１と一体を成しワックスＷから突出するような形状であればどのような形状のものであってもよく、例えば図１に示す如く単にその埋入部位１の横断面と同一の形状の横断面を成すように形成されていてもよいが、図２及び図３に示す如く突出部位２が、埋入部位１と突出部位２との境界2aから埋入部位１の反対側に亘ってその横断面の面積が埋入部位１の境界2a側の横断面の面積よりも狭く形成されている括れ部2bとこの括れ部2bと連続し括れ部2bよりその横断面の面積が広い頭部2cとから成るものであったり、図４に示す如く突出部位２が、埋入部位１の反対側へ亘って先細り状を成すものであったりすれば、予め作製された支台歯Ｔの石膏模型Ｓにワックスアップされた根面板Ｐの蝋型を耐火埋没材Ｍにより埋没して鋳型を作製する際において、本発明に係る歯科用磁性アタッチメントのキーパ用スペーサと鋳型とを確実に一体化させることができて好ましい。
【００３２】
この突出部位２は、ワックスアップ時における作業性を向上させるために埋入部位１との境界2aが目視により認識できるように構成されており、この埋入部位１と突出部位２との境界2aとしては、例えばこの境界2aを境に埋入部位１と突出部位２とが異なる色彩となるように形成されていたり、図３に示す如く埋入部位１と突出部位２との境界2aに両該部位１，２とは異なる色彩を有する境界線が表示したりすればよいが、外観形状によって埋入部位１と突出部位２との境界2aを目視により認識できるように、例えば図１に示す如く埋入部位１と突出部位２との境界2aにその外周面に亘って凹状の溝が形成されていたり、図２及び図３に示す如く突出部位２が埋入部位１と突出部位２との境界2aから埋入部位１の反対側に亘ってその横断面の面積が埋入部位１の境界2a側の横断面の面積よりも狭く形成されている括れ部2bとこの括れ部2bと連続し括れ部2bよりその横断面の面積が広い頭部2cとから成る構成等であれば、ヘラ等の器具を用いてワックスアップを行う際に器具の先端を凹状の溝や括れ部2bに沿って操作することができるので好ましく、更に例えば図３に示す如く突出部位２の高さ及び突出部位２の埋入部位１と反対側の面の表面形状が永久磁石構造体の高さ及び横断面の形状と略同じとなるように形成されていれば、予め作製された支台歯Ｔの石膏模型Ｓに根面板Ｐの蝋型をワックスアップした状態で、歯科用磁性アタッチメントを構成する永久磁石構造体のクリアランスが確認できるから、臨床に非常に有用であるので好ましい。
【００３３】
この本発明に係る歯科用磁性アタッチメントのキーパ用スペーサの埋入部位１と突出部位２とは、鋳造の際に用いられる耐火埋没材Ｍと略同じ熱膨張率を有する耐火埋没材により一体を成すように形成されているから、根面板Ｐの蝋型を焼却する際や溶湯を流し込む際において、キーパ用スペーサと耐火埋没材Ｍとが一体化した鋳型が高温に曝されたとしても、鋳型のキーパ用スペーサと接する部位やキーパ用スペーサ自体が熱膨張率差により変形や破壊されたりすることなく、更に鋳型が高温に曝された際に、キーパ用スペーサと耐火埋没材Ｍとは同様に膨張するので、作製される根面板ＰにおけるキーパＫを収容する空間を正確に形成することができる。
【００３４】
そして、この本発明に係る歯科用磁性アタッチメントのキーパ用スペーサの埋入部位１と突出部位２とを構成する材料が、鋳造の際に用いられる耐火埋没材Ｍと同一の材料より構成されているので、鋳型を作製する際に、本発明に係る歯科用磁性アタッチメントのキーパ用スペーサが耐火埋没材Ｍと一体化し易いので好ましいばかりでなく、その製造コストを安価に押えることができて好ましい。
【００３５】
次に、このような本発明に係る歯科用磁性アタッチメントのキーパ用スペーサの使用方法について説明する。
初めに準備として、予め作製された支台歯Ｔの石膏模型Ｓを用意すると共に、この支台歯Ｔ上に固定される歯科用磁性アタッチメントのキーパＫの口腔内側以外の部位と略同一の形状を成す埋入部位１を有する本発明に係る歯科用磁性アタッチメントのキーパ用スペーサを用意する。
【００３６】
このような準備が完了した後に、予め作製された支台歯Ｔの石膏模型Ｓに根面板Ｐの蝋型をワックスアップする操作を行う。
【００３７】
この操作は、先ず支台歯Ｔの根管形成部T1に対応する石膏模型Ｓの部位内にワックスＷを充填すると共に、このワックスＷが充填された部位上に本発明に係る歯科用磁性アタッチメントのキーパ用スペーサの埋入部位１を載置して更に埋入部位１の周辺部にもワックスＷを築盛することにより、図５に示す如き根面板Ｐの蝋型をワックスアップすればよい。
【００３８】
この際、本発明に係る歯科用磁性アタッチメントのキーパ用スペーサは、埋入部位１とと突出部位２との境界2aを目視により認識できる構成となっているので、図１〜図４に示す如き埋入部位１と突出部位２との境界2aを目安に埋入部位１の周辺部へワックスＷを築盛すればよい。
【００３９】
次に、根面板Ｐの蝋型がワックスアップされた状態の支台歯Ｔの石膏模型Ｓを耐火埋没材Ｍにより埋没して鋳型を作製する操作を行う。
【００４０】
この操作としては、先ず図５に示す如く埋入部位１がワックスＷに埋入され且つ突出部位２がワックスＷから突出した状態と成っている根面板Ｐの蝋型がワックスアップされた支台歯Ｔの石膏模型Ｓを鋳造用容器内に設置した後に、この鋳造用容器内に設置された根面板Ｐの蝋型がワックスアップされた支台歯Ｔの石膏模型Ｓを耐火埋没材Ｍにより埋没することにより鋳型が作製される。
【００４１】
この際、図５に示す如く支台歯Ｔの石膏模型Ｓにワックスアップされた根面板Ｐの蝋型ワックスＷから本発明に係る歯科用磁性アタッチメントのキーパ用スペーサの突出部位２が突出した状態で耐火埋没材Ｍにより埋没すると、この突出部位２がその周囲を包み込まれるように耐火埋没材Ｍで埋没されるから、このような状態で耐火埋没材Ｍが固化すると、突出部位２を耐火埋没材Ｍと一体化させることができる。
【００４２】
またこの際、図２，図３，図５及び図６に示す如く突出部位２が、埋入部位１と突出部位２との境界2aから埋入部位１の反対側に亘ってその横断面の面積が埋入部位１の境界2a側の横断面の面積よりも狭く形成されている括れ部2bとこの括れ部2bと連続し括れ部2bよりその横断面の面積が広い頭部2cとから成るものであったり、図４に示す如く突出部位２が、埋入部位１の反対側へ亘って先細り状を成すものであったりすれば、本発明に係る歯科用磁性アタッチメントのキーパ用スペーサを耐火埋没材Ｍと確実に一体化させることができて好ましい。
【００４３】
次いで、ロストワックス法により鋳型内の根面板Ｐの蝋型を焼却すると共に鋳型に溶湯を流し込むことによりキーパＫを収容する空間が形成された根面板Ｐを鋳造する操作を行う。
【００４４】
この操作は、先ず埋入部位１がワックスＷに埋入され且つ突出部位２がワックスＷから突出した状態と成っている根面板Ｐの蝋型がワックスアップされた支台歯Ｔの石膏模型Ｓを耐火埋没材Ｍで埋没することにより作製された鋳型に、図６に示す如く根面板Ｐの蝋型へと至る溶湯を流し込むための湯路を形成した後に、鋳型を電気炉等で加熱することにより根面板Ｐの蝋型のワックスＷを焼却して図６に示す如き鋳型を作製し、しかる後に鋳型の湯路に溶湯を流し込むことによりキーパＫを収容する空間が形成された根面板Ｐを鋳造する。
【００４５】
この際、本発明に係る歯科用磁性アタッチメントのキーパ用スペーサの埋入部位１と突出部位２とは、鋳造の際に用いられる耐火埋没材Ｍと略同じ熱膨張率を有する耐火埋没材により一体を成すように形成されているから、根面板Ｐの蝋型を焼却する際や溶湯を流し込む際において、キーパ用スペーサと耐火埋没材Ｍと一体化した鋳型が高温に曝されたとしても、鋳型のキーパ用スペーサと接する部位やキーパ用スペーサ自体が熱膨張率差により変形や破壊されたりすることなく、更に鋳型が高温に曝された際に、キーパ用スペーサと耐火埋没材Ｍとは同様に膨張するので、作製される根面板ＰにおけるキーパＫを収容する空間を正確に形成することができる。
【００４６】
最後に、鋳型を分離して鋳型内から鋳造体を取り出した後に、この鋳造体から根面板Ｐを構成する部分以外の部分を切除し、付着した余分な耐火埋没材Ｍ等を石膏溶解材等で取り除けば、キーパＫを収容する空間が形成された根面板Ｐを得ることができる。
【００４７】
かくして、本発明に係る歯科用磁性アタッチメントのキーパ用スペーサを用いて鋳造されたキーパＫを収容する空間が形成された根面板Ｐを得た後に、根面板Ｐの空間内に歯科用セメント等を充填してキーパＫを挿入固定し、しかる後に支台歯Ｔの根管形成部T1に歯科用セメント等を充填してキーパＫが固定された根面板Ｐを挿入固定すれば、図７に示す如く歯科用磁性アタッチメントのキーパＫを支台歯Ｔ上に固定することができる。
【図面の簡単な説明】
【００４８】
【図１】本発明に係る歯科用磁性アタッチメントのキーパ用スペーサの１実施例を示す斜視説明図である。
【図２】本発明に係る歯科用磁性アタッチメントのキーパ用スペーサの他の実施例を示す斜視説明図である。
【図３】本発明に係る歯科用磁性アタッチメントのキーパ用スペーサの更に他の実施例を示す斜視説明図である。
【図４】本発明に係る歯科用磁性アタッチメントのキーパ用スペーサの更に他の実施例を示す斜視説明図である。
【図５】図２に示す本発明に係る歯科用磁性アタッチメントのキーパ用スペーサを用いて根面板の蝋型をワックスアップした状態を示す縦断面説明図である。
【図６】図５に示す根面板の蝋型を耐火埋没材で埋没した後にロストワックス法により本発明に係る歯科用磁性アタッチメントのキーパ用スペーサと耐火埋没材とが一体化した鋳型を作製した状態を示す縦断面説明図である。
【図７】図６に示す本発明に係る歯科用磁性アタッチメントのキーパ用スペーサと耐火埋没材とが一体化した鋳型により鋳造されそのキーパを収容する空間にキーパが固定された根面板を支台歯に固定した状態を示す縦断面説明図である。
【符号の説明】
【００４９】
１  埋入部位
２  突出部位
2a  埋入部位と突出部位との境界
2b  括れ部
2c  頭部
Ｋ  キーパ
Ｍ  耐火埋没材
Ｐ  根面板
Ｓ  石膏模型
Ｔ  支台歯
T1  根管形成部
Ｗ  ワックス
【図１】
0005436764.tif 000002
【図２】
0005436764.tif 000003
【図３】
0005436764.tif 000004
【図４】
0005436764.tif 000005
【図５】
0005436764.tif 000006
【図６】
0005436764.tif 000007
【図７】
0005436764.tif 000008